(57)【要約】【課題】ロックを解除した際に、ドアと筐体との間に適切な隙間が形成されるドラム式洗濯機を提供する。【解決手段】筐体１０と、洗濯水又はすすぎ水を溜める外槽２０と、洗濯物Ｗを収容する回転ドラム３０と、回転ドラム３０に洗濯物Ｗを出し入れするため、ヒンジ７０を介して筐体１０に開閉自在に設けられたドア６０と、筐体１０と外槽２０との隙間をシールする環状のベローズ５０と、を備え、その閉状態においてドア６０は、ベローズ５０内に押し込められ、ベローズ５０と密着するドラム式洗濯乾燥機１であって、ドア６０に出没自在に設けられると共に、筐体１０押すための押しバネ８３Ａ、８３Ｂを有する２本の押ピン８０Ａ、８０Ｂを備え、押ピン８０Ａ、８０Ｂは、ヒンジ７０から異なる距離で配置されると共に、ヒンジ７０から近い押ピン８０Ａの押しバネ８３Ａのバネ力は、ヒンジ７０から遠い押ピン８０Ｂの押しバネ８３Ｂのバネ力よりも大きい。【選択図】図９
2008253392.tif 000002
【特許請求の範囲】
【請求項１】
筐体と、
前記筐体内に配置され、洗濯水又はすすぎ水を溜める外槽と、
前記外槽内に回転自在に設けられ、洗濯物を収容する回転ドラムと、
前記回転ドラムに洗濯物を出し入れするため、ヒンジを介して前記筐体に開閉自在に設けられたドアと、
前記筐体と前記外槽との隙間をシールする環状のシール部材と、
を備え、
その閉状態において前記ドアは、前記シール部材内に押し込められ、前記シール部材と密着するドラム式洗濯機であって、
前記筐体及び前記ドアの少なくとも一方に出没自在に設けられると共に、他方を押すための押しバネを有する少なくとも２本の押ピンを備え、
前記少なくとも２本の押ピンは、前記ヒンジから異なる距離で配置されると共に、
前記ヒンジから近い前記押ピンの押しバネのバネ力は、前記ヒンジから遠い前記押ピンの押しバネのバネ力よりも大きい
ことを特徴とするドラム式洗濯機。
【請求項２】
前記各押ピンが前記他方を押す力が等しくなるように構成されていることを特徴とする請求項１に記載のドラム式洗濯機。
【請求項３】
筐体と、
前記筐体内に配置され、洗濯水又はすすぎ水を溜める外槽と、
前記外槽内に回転自在に設けられ、洗濯物を収容する回転ドラムと、
前記回転ドラムに洗濯物を出し入れするため、ヒンジを介して前記筐体に開閉自在に設けられたドアと、
前記筐体と前記外槽との隙間をシールする環状のシール部材と、
を備え、
その閉状態において前記ドアは、前記シール部材内に押し込められ、前記シール部材と密着するドラム式洗濯機であって、
前記筐体及び前記ドアの少なくとも一方に出没自在に設けられると共に、他方を押すための押ピンを備え、
当該押ピンは、多段階で伸縮すると共に、当該段階に対応して複数の押しバネを有する
ことを特徴とするドラム式洗濯機。
【請求項４】
前記押ピンの先端側の押しバネのバネ力は、基端側の押しバネのバネ力よりも大きいことを特徴とする請求項３に記載のドラム式洗濯機。
【請求項５】
前記ドアを閉位置でロックするロック手段を備えたことを特徴とする請求項１から請求項４のいずれか１項に記載のドラム式洗濯機。
【請求項６】
前記ヒンジは、前記ドアを開方向に付勢するヒンジバネを備えることを特徴する請求項１から請求項５のいずれか１項に記載のドラム式洗濯機。
【請求項７】
前記回転ドラムの回転軸は斜めであり、
前記ドアは前記回転ドラムの開口が属する面と平行となるように斜めで配置されると共に、
前記ヒンジは前記ドアの高さ方向中間に配置されている
ことを特徴とする請求項１から請求項６のいずれか１項に記載のドラム式洗濯機。
【発明の詳細な説明】
【技術分野】
【０００１】
本発明は、その閉状態において、筐体と外槽との隙間をシールするシール部材内に押し込まれるドアを備えるドラム式洗濯機に関する。
【背景技術】
【０００２】
ドラム式洗濯機は、洗濯物の出し入れがしやすく、たたき洗い方式により少ない水で洗濯することができるため、販売台数が伸びている（特許文献１参照）。このようなドラム式洗濯機は、その筐体の前面に設けられたドアを開閉することにより、回転ドラムへの洗濯物の出し入れが行われる。
【０００３】
ドアは、ヒンジを介して筐体に回動自在に取り付けられると共に、ロック手段によって、閉位置でロックされるようになっている。また、ドアは、ヒンジに設けられたヒンジバネによって開方向に付勢されており、ドアの開閉操作がアシストされるようになっている。
【０００４】
このようなドアを開ける際、ドアのロックを解除したことにより、筐体とドアとの間に手を差し込み可能な程度の隙間が形成され、この隙間に手を差し込んでドアに手をかけ、このように隙間が形成された状態から全開の状態まで、手動で行うことが好ましいと考えられている。
なお、筐体とドアとの間に手を差し込み可能な程度の隙間が形成されるように、ドアが開くことを、初期開放とする。
【特許文献１】特開２００５−１４３７９４号公報
【発明の開示】
【発明が解決しようとする課題】
【０００５】
しかしながら、ドアは、その閉状態において、洗濯水又はすすぎ水を溜める外槽と、筐体との隙間をシールする環状のベローズ（シール部材）に押し込まれ、ベローズと密着した状態となっている。これにより、例えばドアの閉状態が長時間継続した場合、ドアのロックを解除しても、ドアとベローズとの密着が解除されず、ドアと筐体との間に手を差し込み可能な隙間が好適に形成されない虞がある。
【０００６】
これを解決するため、ヒンジバネのバネ力を大きくして、ドアの開方向への付勢力を大きくする構成が考えられる。しかし、このような構成では、ドアとベローズとの密着が解除されたとたんに、ドアが勢い良く開くことになるので、ドアの操作性が低下する虞がある。
【０００７】
そこで、本発明は、ロックを解除した際に、ドアと筐体との間に適切な隙間が形成されるドラム式洗濯機を提供することを課題とする。
【課題を解決するための手段】
【０００８】
前記課題を解決するための手段として、本発明は、筐体と、前記筐体内に配置され、洗濯水又はすすぎ水を溜める外槽と、前記外槽内に回転自在に設けられ、洗濯物を収容する回転ドラムと、前記回転ドラムに洗濯物を出し入れするため、ヒンジを介して前記筐体に開閉自在に設けられたドアと、前記筐体と前記外槽との隙間をシールする環状のシール部材と、を備え、その閉状態において前記ドアは、前記シール部材内に押し込められ、前記シール部材と密着するドラム式洗濯機であって、前記筐体及び前記ドアの少なくとも一方に出没自在に設けられると共に、他方を押すための押しバネを有する少なくとも２本の押ピンを備え、前記少なくとも２本の押ピンは、前記ヒンジから異なる距離で配置されると共に、前記ヒンジから近い前記押ピンの押しバネのバネ力は、前記ヒンジから遠い前記押ピンの押しバネのバネ力よりも大きいことを特徴とするドラム式洗濯機である。
【０００９】
このようなドラム式洗濯機によれば、ドアのロックが解除された場合、筐体及びドアの少なくとも一方に出没自在に設けられた少なくとも２本の押ピンが、他方を押すことによって、ドアとシール部材との密着を解除した後、ドアと筐体との間に適切な隙間を形成することができ、ドアの初期開放を確実に行うことができる。
また、少なくとも２本の押ピンは、ヒンジから異なる距離で配置されると共に、ヒンジから近い押ピンの押しバネのバネ力は、ヒンジから遠い押ピンの押しバネのバネ力よりも大きいので、ヒンジに近い押ピンによって発生するドアと筐体とを離間させる力（押ピンが他方を押す力）と、ヒンジから遠い押ピンによって発生するドアと筐体とを離間させる力（押ピンが他方を押す力）とを、略等しくするもできる。これにより、ドアを歪めずに、ドアと筐体とを離間させ、両者の間に適切な隙間を形成することができる。
【００１０】
また、本発明は、筐体と、前記筐体内に配置され、洗濯水又はすすぎ水を溜める外槽と、前記外槽内に回転自在に設けられ、洗濯物を収容する回転ドラムと、前記回転ドラムに洗濯物を出し入れするため、ヒンジを介して前記筐体に開閉自在に設けられたドアと、前記筐体と前記外槽との隙間をシールする環状のシール部材と、を備え、その閉状態において前記ドアは、前記シール部材内に押し込められ、前記シール部材と密着するドラム式洗濯機であって、前記筐体及び前記ドアの少なくとも一方に出没自在に設けられると共に、他方を押すための押ピンを備え、当該押ピンは、多段階で伸縮すると共に、当該段階に対応して複数の押しバネを有することを特徴とするドラム式洗濯機である。
【００１１】
このようなドラム式洗濯機によれば、ドアのロックが解除された場合、筐体及びドアの少なくとも一方に出没自在に設けられた押ピンが、多段階で伸長しつつ、他方を押すことによって、ドアとシール部材との密着を解除した後、ドアと筐体との間に適切な隙間を形成することができる。
【発明の効果】
【００１２】
本発明によれば、ロックを解除した際に、ドアと筐体との間に適切な隙間が形成されるドラム式洗濯機を提供することができる。
【発明を実施するための最良の形態】
【００１３】
≪第１実施形態≫
以下、本発明の第１実施形態について、図１から図９を適宜参照して説明する。
【００１４】
＜ドラム式洗濯乾燥機の構成＞
第１実施形態に係るドラム式洗濯乾燥機１は、筐体１０と、外槽２０と、回転ドラム３０と、乾燥時に作動する乾燥手段と、ベローズ５０と、ドア６０と、ヒンジ７０（図参照）と、ロック手段と、押ピン８０Ａ、８０Ｂ（図４参照）とを主に備えている。そして、回転ドラム３０の回転軸Ａは斜めに配置されている（図３参照）。ここで、明確に説明するため、図１に示すように、前後上下左右を設定する。
【００１５】
＜筐体＞
筐体１０は、図１に示すように、ドラム式洗濯乾燥機１の外枠筐体であって、運転時の振動を減衰させるため、四隅にゴム製の脚１１ａを有する筐体ベース１１上に配置されている。ただし、筐体ベース１１のない構成でもよい。
筐体１０は、例えばプレス成型によって得られた金属製の前パネル１２（図２参照）、左パネル、右パネル、後パネル等によって構成されたフレームと、このフレームを覆いドラム式洗濯乾燥機１の外観意匠面を形成する樹脂製の前パネル１３等とを備えて構成されている。
【００１６】
筐体１０の前側には洗濯物Ｗの投入口１０ａが形成されており（図３参照）、投入口１０ａはドア６０によって、適宜に開閉されるようになっている。また、筐体１０の右側面には、後記する排水ホース２４が掛止される掛止穴１０ｂが形成されている。
筐体１０の前面右上には、ドア６０のロックを解除するために押されるロック解除ボタン１４が配置されている。
【００１７】
その他、筐体１０の前面には、後記する洗剤ケース１９の他、フィルタケース１５Ａ、フィルタケース１５Ｂ、操作部１６Ａ、１６Ｂが配置されている。フィルタケース１５Ａには、洗濯及びすすぎ時に循環する循環水に同伴する糸くず等を回収するフィルタが装填されている。フィルタケース１５Ｂには、乾燥時に循環する空気に同伴する埃等を回収するフィルタが装填されている。操作部１６Ａは、運転者が洗濯モード等を選択するために操作する部分であり、表示部１６Ｂは選択された洗濯モード等を表示する部分である。
さらに、筐体１０の左側面及び右側面には、ドラム式洗濯乾燥機１を持ち運ぶための把手１７が適所に設けられている。
【００１８】
図３に示すように、筐体１０の内部上側には、電磁式の給水弁１８と、洗剤が投入される洗剤ケース１９とが配置されている。そして、給水弁１８が開かれると、水道の蛇口（図示しない）から、給水ホース１８ａ、給水弁１８、注水ホース１８ｂを介して、洗剤ケース１９に水道水が流れ込み、洗剤を溶かした後、フレキシブルホース１９ａを介して、外槽２０内に流れ込むようになっている。
なお、洗剤ケース１９には、すすぎ時に洗濯物Ｗの仕上がりを良くするための柔軟剤が投入される柔軟剤投入ケース（図示しない）も並設されている。
【００１９】
＜外槽＞
外槽２０は、洗濯水又はすすぎ水を溜める有低円筒体であって、筐体１０内に、サスペンション２１によって、その下方より支持された状態で配置されている。また、外槽２０の軸線は斜めで、その後側が下がった状態となっており、その前側が開口している。さらに、外槽２０には、乾燥時に空気が通過する通気孔２０ａ、通気孔２０ｂが形成されている。
外槽２０及びこれと同軸である回転ドラム３０の回転軸Ａの傾きの程度は、洗濯物Ｗの取り出し等を考慮して、回転軸Ａと水平面とのなす角θ１が５〜３０°であることが好ましく、１５°が最適である。
【００２０】
サスペンション２１は、例えば、シリンダと圧縮コイルバネとを備えて構成される減衰装置である（図２参照）。また、サスペンション２１は、外槽２０の周方向において、複数（例えば３つ）で配置されると共に、外槽２０の略重心を支持している。
【００２１】
外槽２０の上部は、引きバネ２２Ａ、引きバネ２２Ｂ（引張コイルバネ）を介して、筐体１０に接続されている。これにより、外槽２０の倒れが防止されると共に、外槽２０の姿勢が維持されつつ、脱水時における外槽２０の上下、左右振動が低減されるようになっている。外槽２０の下部は、洗濯及びすすぎの終了時や、脱水時に開かれる排水弁２３を介して、排水ホース２４に接続されている。
【００２２】
＜回転ドラム＞
回転ドラム３０は、例えばステンレス製の有底円筒体であって洗濯物Ｗを収容する槽であり、外槽２０と同軸で、外槽２０内に回転自在に配置されており、その前斜め上側が開口している。外槽の２０の底壁の外側には、ブラケット（図示しない）等を介して、モータ３１（例えばＤＣ−ＤＣブラシレスモータ）が取り付けられており、モータ３１の出力軸３１ａは、外槽２０の底壁の出力軸孔を介して、外槽２０内に伸びている。そして、回転ドラム３０の底壁は、フランジ、底壁を補強する円盤状の補強板（図示しない）を介して、出力軸３１ａに固定されている。すなわち、回転ドラム３０は、モータ３１に片持ちで回転自在に支持されている。
【００２３】
また、回転ドラム３０の周壁には、複数の脱水孔３０ａが形成されている。そして、脱水時において、モータ３１により回転ドラム３０が回転すれば、遠心力によって、洗濯物Ｗの水分が脱水孔３０ａを介して外槽２０に脱水されるようになっている。
さらに、回転ドラム３０の底壁には、乾燥時に空気が通過する複数の通気孔３０ｂが形成されている。
【００２４】
さらにまた、回転ドラム３０の内周面には、周方向に複数本のリフター３２が等間隔で設けられている（例えば３本の場合、１２０°間隔）。これにより、回転ドラム３０奥側（底側）の洗濯物Ｗも、効率的にかき上げられるようになっている。
【００２５】
また、回転ドラム３０の前側開口の縁部には、リング状の流体バランサ３３が設けられている。流体バランサ３３は、脱水時に回転する回転ドラム３０のバランスを保ち、振動を低減させるものである。このような流体バランサ３３は、その内部にリング状の空間を有しており、この空間に塩化カリウム水溶液等の比重の高い流体が収容されている。
【００２６】
＜乾燥手段＞
乾燥手段は、乾燥時に作動することで、洗濯物Ｗを乾燥する手段であって、ファン４１と、ヒータ４２と、除湿器４３とを備えている。ファン４１及びヒータ４２は、外槽２０の上に配置されている。除湿器４３は、外槽２０の底壁の外側で、モータ３１とずれた位置に配置されている。なお、除湿器４３は、水道水等の低温流体が通流する冷却管（図示しない）を備えている。
【００２７】
そして、乾燥時に、ファン４１、ヒータ４２及び除湿器４３が作動すると、ファン４１からの空気が、ヒータ４２で暖められた後、外槽２０の通気孔２０ａを介して、回転ドラム３０内に送り込まれるようになっている。次いで、この空気は、回転ドラム３０の通気孔３０ｂ、外槽２０の通気孔２０ｂを介して、除湿器４３に送り込まれ、除湿器４３で除湿された後、ファン４１に戻り、循環するようになっている。
【００２８】
＜ベローズ＞
ベローズ５０は、外槽２０と筐体１０との隙間をシールする環状のシール部材であって、可撓性を有するゴム等から形成され、蛇腹状を呈している（図３、図５〜図７参照）。このようなベローズ５０は、環状のバネ５８、バネ５９によって、筐体１０を構成する前パネル１２と、外槽２０とにそれぞれ取り付けられている。これにより、筐体１０の内部に、洗濯水及びすすぎ水が、侵入しないようになっている。
【００２９】
また、ベローズ５０は、径方向内側で斜めに突出した環状のリップ５１を有している（図５〜７参照）。そして、ドア６０が閉じられ、その閉位置に配置されると、ドア６０の後記するドア本体６３がベローズ５０内に押し込まれ、ドア本体６３とベローズ５０とが密着するようになっている。これにより、洗濯水、すすぎ水、乾燥時の空気が外部に漏れないようになっている。詳細には、ドア６０が閉じられると、ドア本体６３によって、リップ５１が径方向外側に押し広げられる共に、リップ５１がドア本体６３を径方向内側に締め付け、その結果、ドア６０とベローズ５０とが密着するようになっている（図５参照）。
【００３０】
＜ドア＞
ドア６０は、回転ドラム３０に洗濯物Ｗを出し入れするため、筐体１０にヒンジ７０を介して開閉自在に設けられ、筐体１０の投入口１０ａを適宜に開閉する蓋である。また、ドア６０は、その閉位置において斜め、詳細には、回転ドラム３０の前側開口が属する面と平行となるように、斜め（例えば、鉛直方向とドア６０とのなす角度θ２は１５〜３０°、図３参照）で配置されている。
【００３１】
ドア６０は、円形を呈しており、図５から図８に示すように、その骨格を構成するリング状のフレーム６１と、フレーム６１の前側に取り付けられドラム式洗濯乾燥機１の前側意匠面を形成する表面カバー６２と、ドア本体６３と、ドア６０の周縁部に配置されるリング状の押え板６４と、を備えている。そして、ドア本体６３は、フレーム６１の筐体１０側に配置されると共に、ドア本体６３の縁はフレーム６１と押え板６４とによって挟まれている。
【００３２】
ドア本体６３は筐体１０側に隆起しており、ドア６０が閉じられ、その閉位置に配置されると、環状のベローズ５０の中空部に押し込まれるようになっている。そして、このように押し込まれると、前記したように、ドア本体６３の外周面にベローズ５０のリップ５１が密着し、その結果、ドア６０とベローズ５０とが密着するようになっている。このようなドア本体６３は、乾燥温度に耐え得る材料、例えば、耐熱ガラスから形成される。
【００３３】
また、ドア本体６３及び表面カバー６２は、透明の材料から形成されており、ドア６０が閉じた状態で、回転ドラム３０内を視認可能となっている。
【００３４】
押え板６４（当接部）は、ドア６０が閉じられた場合に、筐体１０の前パネル１２に当接する部分である。また、押え板６４には、ヒンジ７０の後記する回動アーム７１が取り付けられるアーム取付部６４ａが形成されている（図４参照）。さらに、押え板６４には、クランプ６５が設けられており、ドア６０が閉位置に配置された場合、クランプ６５が後記するクランプ保持機構７５（図７参照）によって保持され、ドア６０が閉位置でロックされ、その結果、ドア６０が閉状態で維持されるようになっている。
【００３５】
＜ヒンジ＞
ヒンジ７０は、図２、図５及び図６に示すように、筐体１０に対してドア６０を回動自在とする機構である。ヒンジ７０は、その一端側がドア６０のアーム取付部６４ａ（図４参照）に取り付けられた回動アーム７１と、回動アーム７１の他端側を軸支すると共に、筐体１０の前パネル１２に取り付けられたブラケット７２、７２と、ヒンジバネ（図示しない）と、を備えている。
【００３６】
ヒンジバネは、例えば特開２００５−１４３７９４号公報に記載されているように、ドア６０を開方向に付勢するバネであって、回動軸周り等の適所に配置されている。このようなドア６０を開方向に付勢するヒンジバネを備えることにより、ドア６０の開閉動作における操作性が向上するようになっている。
すなわち、小さな力でもヒンジバネによってアシストされるので、ドア６０を容易に開くことが可能となっている。一方、ドア６０を閉じる場合、ドア６０を閉める力に対して、ヒンジバネの開方向に付勢する力が抗力となるので、ドア６０が勢いよく閉じられないように設計されている。
【００３７】
また、ヒンジ７０は、高さ方向において、ドア６０の中間位置に配置されており、ドア６０が略横方向に開くようになっている。
【００３８】
＜ロック手段＞
ロック手段は、ドア６０を閉位置でロックするための手段であって、前記したクランプ６５と、クランプ６５を適宜に保持するクランプ保持機構７５（図７参照）と、を備えている。クランプ保持機構７５は、スライダ７６と、スライダ７６を付勢する圧縮コイルバネ７７とを備えている。
【００３９】
そして、ドア６０が閉じられ、その閉位置に配置されると、スライダ７６がクランプ６５の中空部に挿通され（図７、矢印Ａ１参照）、これにより、ドア６０が閉位置でロックされるようになっている。一方、ロック解除ボタン１４（図１参照）が押されると、連動アーム（図示しない）等を介して、スライダ７６がクランプ６５から抜かれ（図７、矢印Ａ２参照）、ドア６０のロックが解除されるようになっている。
なお、ドア６０が閉じられた際に、クランプ６５によってスライダ７６が矢印Ａ２の方向に後退するように、クランプ６５に当接するスライダ７６の当接面７６ａはテーパ面となっている。
【００４０】
＜押ピン＞
押ピン８０Ａ、８０Ｂは、ドア６０の初期開放を促進するためのピンである。すなわち、押ピン８０Ａ、８０Ｂは、ロック解除ボタン１４（図１参照）が押され、ロック手段によるドア６０のロックが解除された後、ドア６０と筐体１０との間に、手を差し込める程度の隙間を形成するため、筐体１０を押し、ドア６０と筐体１０とを離間させるためのピンである。
【００４１】
このような押ピン８０Ａ、８０Ｂは、第１実施形態では、円形のドア６０の周縁部に設けられている。さらに説明すると、押ピン８０Ａ、８０Ｂは、ヒンジ７０から異なる位置、詳細には、図４に示すように、一方の押ピン８０Ａはヒンジ７０（アーム取付部６４ａ）から近い位置に、他方の押ピン８０Ｂはヒンジ７０から遠い位置に配置されている。
【００４２】
なお、ドア６０はヒンジ７０を支点として開き、押ピン８０Ａ、８０Ｂの位置を作用点としてドア６０を押し開く力が作用するので、押ピン８０Ａ、８０Ｂは、ヒンジ７０及び円形のドア６０の中心を通る直径線Ｄ上で、近い位置と遠い位置とに振り分け配置されることが好ましい。
【００４３】
押ピン８０Ａと、押ピン８０Ｂとは、そのストローク長は同じであるが、内蔵する押しバネ８３Ａ、８３Ｂのみが異なり、つまり、押しバネ８３Ａ、８３Ｂのバネ力が異なるのみであり、その他構成部品を共有している（図９参照）。以下、図８を参照して、ヒンジ７０から遠い位置の押ピン８０Ｂの構成を具体的に説明する。
【００４４】
押ピン８０Ｂは、ドア６０の押え板６４の表面から出没自在に配置されるピン本体８１と、ピン本体８１を出没自在にガイドすると共にフレーム６１に固定されたシリンダ８２と、ピン本体８１を突出方向に付勢する圧縮コイルバネである押しバネ８３Ｂと、を備えている。
【００４５】
そして、このように付勢されるピン本体８１が、筐体１０の前パネル１３を押すようになっている（ヒンジ７０から近い押ピン８０Ａを示す図５参照）。
また、ピン本体８１の基端部は肉厚で形成され、押え板６４に係止するストッパ部８１ａとして機能している。これにより、ピン本体８１がドア６０から脱落しないようになっている。
【００４６】
シリンダ８２の底面にはガイド棒８２ａが形成されており、このガイド棒８２ａに外挿するように押しバネ８３Ｂが配置されている。これにより、シリンダ８２内で押しバネ８３Ｂが倒れないようなっている。
【００４７】
＜押ピン−バネ力＞
次に、図９を参照して、ヒンジ７０から近い押ピン８０Ａに内蔵される押しバネ８３Ａのバネ力と、ヒンジ７０から遠い押ピン８０Ｂに内蔵される押しバネ８３Ｂのバネ力と関係を説明する。
押しバネ８３Ａのバネ力は、押しバネ８３Ｂのバネ力よりも大きくなるように設定されている。このようにバネ力を大きくするには、例えば、押しバネ８３Ａ、８３Ｂの太さを変更する方法がある。
【００４８】
また、ヒンジ７０から近い押ピン８０Ａが筐体１０を押す力と、ヒンジ７０から遠い押ピン８０Ｂが筐体１０を押す力とが等しくなるように、押しバネ８３Ａと押しバネ８３Ｂのバネ力の関係は、ヒンジ７０からの押ピン８０Ａ、８０Ｂの距離関係と、逆比例する関係となっている。
さらに、押しバネ８３Ａと押しバネ８３Ｂのバネ力は、ドア本体６３とベローズ５０との密着状態を解除可能な大きさに設定されている。
【００４９】
≪ドラム式洗濯乾燥機の作用効果≫
次に、ドラム式洗濯乾燥機１の作用効果を、図９を参照して説明する。
図９（ａ）に示すように、ドア６０が閉じた状態では、ヒンジ７０から近い押ピン８０Ａの押しバネ８３Ａと、ヒンジ７０から遠い押ピン８０Ｂの押しバネ８３Ｂとは、共に縮退している。
そして、ロック解除ボタン１４（図１参照）が押され、スライダ７６が後退し、クランプ６５が外れ（図７参照）、ドア６０のロックが解除されると、押ピン８０Ａ及び押ピン８０Ｂが筐体１０を押し、ドア本体６３とベローズ５０との接触摩擦抵抗に抗して、ドア６０が開き始める。これにより、ドア本体６３とベローズ５０との密着接合が解除され始める。
【００５０】
ここで、ヒンジ７０から近い押しバネ８３Ａのバネ力は、ヒンジ７０から遠い押しバネ８３Ｂのバネ力よりも大きく設定され、さらに、押ピン８０Ａが筐体１０を押す力と、押ピン８０Ｂが筐体１０を押す力とが等しくなるように構成されているので、ドア６０は歪むことなく、その開方向に開く。
【００５１】
そして、ドア６０の開放が進み、図９（ｂ）に示すように、ヒンジ７０から遠い押ピン８０Ｂが伸びきったとしても、ヒンジ７０から近い押ピン８０Ａは未だ伸長可能な状態にある。これにより、その後、ヒンジ７０から近い押しバネ８３Ａが伸長することで、押ピン８０Ａが筐体１０を押し、ドア６０の初期開放が進む。
【００５２】
その後、図９（ｃ）に示すように、押ピン８０Ａによる筐体１０の押圧が完了すると、ドア本体６３とベローズ５０との密着接合が確実に解除されると共に、ドア６０の初期開放が完了する。そして、ドア６０と筐体１０との間には、手を差し込み可能な隙間Ｇが好適に形成される。
【００５３】
このように、ドラム式洗濯乾燥機１によれば、ドア本体６３とベローズ５０との密着接合を解除するために大きな力が必要な段階（図９（ａ）参照）では、押ピン８０Ａ及び押ピン８０Ｂとで筐体１０を押すことで、前記密着接合を解除することができる。
そして、ヒンジ７０から遠い押ピン８０Ｂが伸びきった後も、ヒンジ７０から近い押ピン８０Ａがその後も伸長することで、ドア６０を連続的に開くことができる。これにより、ドア本体６３とベローズ５０との密着接合を確実に解除すると共に、ドア６０と筐体１０との間に、手を差し込み可能な適切な大きさの隙間Ｇを形成することができる。
【００５４】
≪第２実施形態≫
次に、本発明の第２実施形態を、図１０及び図１１を参照して説明する。
図１０及び図１１に示すように、第２実施形態に係るドラム式洗濯乾燥機は、１本の押ピン９０を備えており、押ピン９０は、ヒンジ７０から遠い位置（押ピン８０Ｂの位置）に配置されている。
【００５５】
押ピン９０は、２段階で伸縮するピンであって、ドア６０の押え板６４の表面から出没自在の第１ピン本体９１と、同じく出没自在の第２ピン本体９２と、第１ピン本体９１を突出方向に付勢する第１押しバネ９３と、第１押しバネ９３をガイドするガイド棒９４ａを有すると共に第２ピン本体９２の底に配置されたガイド部９４と、ガイド部９４を介して、第２ピン本体９２を突出方向に付勢する第２押しバネ９５と、を備えている。
なお、第１ピン本体９１は押ピン９０の先端側に配置され、第２ピン本体９２は押ピン９０の基端側に配置されている。
【００５６】
第１ピン本体９１は、第１押しバネ９３が縮退すると第２ピン本体９２内に収容されるように構成されている。また、第２ピン本体９２は、第２押しバネ９５が縮退すると、フレーム６１に形成されたシリンダ部６１ａ内に収容されるように構成されている。
【００５７】
すなわち、押ピン９０の全体のストローク長（押え板６４からの突出長さ）は、第１実施形態に係る押ピン８０Ａ、８０Ｂよりも長いにも関わらず、押ピン９０が縮退すると、第１実施形態と同様に、ドア６０の周縁部分内に収容されるようになっている。つまり、ドア６０の周縁部分を厚くせずに、押ピン９０のストローク長は長くなっている。これにより、押ピン９０をヒンジ７０から遠い位置に配置しても、ドア６０と筐体１０との間に適切な隙間Ｇを形成可能となっている。
なお、第１ピン本体９１のストローク長と、第２ピン本体９２のストローク長とは、ここでは同一に設計されている。
【００５８】
そして、先端側の第１ピン本体９１を突出方向に付勢する第１押しバネ９３のバネ力は、基端側の第２ピン本体９２を突出方向に付勢する第２押しバネ９５のバネ力よりも大きく設定されている。ただし、バネ力を同等にしてもよい。
【００５９】
次に、ドラム式洗濯乾燥機の作用効果を、図１１を参照して説明する。
図１１（ａ）に示すように、ドア６０が閉じた状態では、第１押しバネ９３と、第２押しバネ９５とは、共に縮退している。
【００６０】
そして、ロック解除ボタン１４（図１参照）が押され、ドア６０のロックが解除されると、まず、バネ力の大きい先端側の第１押しバネ９３が伸長する。これにより、第１ピン本体９１が突出して、筐体１０を押し、ドア６０が開き始める。これにより、ドア本体６３とベローズ５０との密着接合が解除され始める。
【００６１】
そして、ドア６０の開放が進み、図１１（ｂ）に示すように、第１押しバネ９３が略伸びきると、これに続いて、基端側の第２押しバネ９５が伸長する。これにより、第２ピン本体９２が第１ピン本体９１を介して筐体１０を押し、ドア６０の初期開放が進む。
【００６２】
その後、図１１（ｃ）に示すように、第２ピン本体９２による筐体１０の押圧が完了すると、ドア本体６３とベローズ５０との密着接合が確実に解除されると共に、ドア６０の初期開放が完了する。そして、ドア６０と筐体１０との間には、手を差し込み可能な隙間Ｇが好適に形成される。
【００６３】
このように、第２実施形態に係る押ピン９０によれば、ドア本体６３とベローズ５０との密着接合を解除するため、大きな力が必要な段階では、大きなバネ力を有する第１押しバネ９３が伸長することで、前記密着接合を解除することができる。
その後、第２押しバネ９５が伸長することで、ドア６０を連続的に開くことができる。これにより、ドア本体６３とベローズ５０との密着接合を確実に解除し、手を差し込み可能な適切な大きさの隙間Ｇを形成することができる。
【００６４】
以上、本発明の好適な実施形態を説明したが、本発明は前記実施形態に限定されず、本発明の趣旨を逸脱しない範囲で、例えば以下のように変更してもよい。
【００６５】
前記した各実施形態では、乾燥機能を備えるドラム式洗濯乾燥機１に本発明を適用した場合を例示したが、乾燥機能を備えないドラム式洗濯機に適用してもよい。
【００６６】
前記した各実施形態では、押ピン８０Ａ、８０Ｂ、９０がドア６０に設けられた構成を例示したが、筐体１０に設けられた構成でもよい。
【００６７】
第１実施形態では、バネ力が異なり、ストローク長が同一の２本の押ピン８０Ａ、８０Ｂを備える構成としたが、バネ力及びストローク長が同一の押ピンを３本備え、ヒンジ７０から近い範囲（図４の紙面における右半分の範囲）に、ヒンジ７０から遠い範囲（図４の紙面における左半分の範囲）よりも多い数で押ピンを配置する構成としてもよい（近い範囲に２本、遠い範囲に１本）。このような構成にすれば、ヒンジ７０から近い範囲に配置された２本の押ピンによって、ヒンジ７０から遠い範囲に配置された１本の押ピンによる押圧後も、筐体１０を押し続け、ドア６０を確実に初期開放することができる。
【図面の簡単な説明】
【００６８】
【図１】第１実施形態に係るドラム式洗濯乾燥機の外観斜視図である。
【図２】第１実施形態に係るドラム式洗濯乾燥機の斜視図であり、ドアが開き、前パネルを外した状態を示す。
【図３】第１実施形態に係るドラム式洗濯乾燥機の縦断面図である。
【図４】第１実施形態に係るドアを後方から見た図である。
【図５】第１実施形態に係るヒンジを示す図であって、図１のＸ１−Ｘ１線断面図であり、ドアが閉じている状態である。
【図６】第１実施形態に係るヒンジを示す図であって、図１のＸ１−Ｘ１線断面図であり、ドアが開いている状態である。
【図７】第１実施形態に係るロック手段を示す図であって、図１のＸ２−Ｘ２線断面図である。
【図８】第１実施形態に係る押ピンを示す図であって、図３のＸ３−Ｘ３線断面図である。
【図９】第１実施形態に係るドラム式洗濯乾燥機の動作を模式的に示す図であり、（ａ）はドアが閉じている状態、（ｂ）はドアが少し開いた状態、（ｃ）はドアがさらに開いた状態を示す。
【図１０】第２実施形態に係るドラム式洗濯乾燥機の押ピンを示す図であって、図３のＸ３−Ｘ３線断面図に対応している。
【図１１】第２実施形態に係るドラム式洗濯乾燥機の動作を模式的に示す図であり、（ａ）はドアが閉じている状態、（ｂ）はドアが少し開いた状態、（ｃ）はドアがさらに開いた状態を示す。
【符号の説明】
【００６９】
１      ドラム式洗濯乾燥機
１０    筐体
１２    前パネル
１３    前パネル
１４    ロック解除ボタン
２０    外槽
３０    回転ドラム
５０    ベローズ（シール部材）
５１    リップ
６０    ドア
６１    フレーム
６３    ドア本体
６４    押え板
６５    クランプ（ロック手段）
７０    ヒンジ
７１    回動アーム
７５    クランプ保持機構（ロック手段）
７６    スライダ
７７    圧縮コイルバネ
８０Ａ、８０Ｂ  押ピン
８１    ピン本体
８３Ａ、８３Ｂ  押しバネ
Ｗ      洗濯物
【図１】
2008253392.tif 000003
【図２】
2008253392.tif 000004
【図３】
2008253392.tif 000005
【図４】
2008253392.tif 000006
【図５】
2008253392.tif 000007
【図６】
2008253392.tif 000008
【図７】
2008253392.tif 000009
【図８】
2008253392.tif 000010
【図９】
2008253392.tif 000011
【図１０】
2008253392.tif 000012
【図１１】
2008253392.tif 000013